(57)【要約】【課題】温度設定をさせない対象に対する好適な温度制御用データを採用することにより、特に温度設定を修正することなく、当該対象に対して好適な環境温度を与える。【解決手段】ステップ１０１で温度を設定し、ステップ１０２では設定に対応する期間が変調期間に該当するか否かを判断し、該当する場合にはステップ１０３で自律神経データベース３に基づいて温度の再設定を行う。ステップ１０４では、ステップ１０１で設定された、またはステップ１０３で再設定された温度に基づいて、それぞれ温度調節を行う。チャイルドロックをオンすることによってステップ１１の温度の設定が有効となる有効モードから無効モードへと移行し、チャイルドロックをオフすることによって無効モードから有効モードへと復帰する。またチャイルドロックをオンすることによって変調期間が開始し、チャイルドロックをオフすることによって変調期間が終了する。【選択図】図１
2006336975.tif 000002
【特許請求の範囲】
【請求項１】
温度の設定を入力する入力部（１０１）と、
前記設定に対応する期間が特定の期間に該当するか否かを判断する判断部（１０２）と、
前記設定に対応する期間が前記特定の期間に該当する場合に、所定のデータベース（３）に基づいて前記温度の再設定を行う再設定部（１０３）と、
前記設定に対応する期間が前記特定の期間に該当する場合には前記再設定部によって再設定された前記温度に基づいて、前記設定に対応する期間が前記特定の期間に該当しない場合には前記入力部に入力した前記温度に基づいて、それぞれ温度調節を行う温度調節部（１０４）と
を備え、
前記入力部は、所定の第１操作（２０１）によって前記温度の設定の入力が有効となる有効モードから無効モードへと移行し、所定の第２操作（２０２）によって前記無効モードから前記有効モードへと復帰し、
前記所定の第１操作によって前記特定の期間が開始（２０２）し、前記所定の第２操作によって前記特定の期間が終了（２０４）する空気調和機。
【請求項２】
前記再設定部（１０３）は、前記入力部（１０１）に入力された設定に対して、より外気温度に近い温度へと温度を再設定する、請求項１記載の空気調和機。
【請求項３】
前記再設定部（１０３）は、前記入力部（１０１）に入力された設定に対して、より外気温度に近い温度へと温度を間欠的に変動させる、請求項１又は請求項２記載の空気調和機。
【請求項４】
前記所定のデータベース（３）には、年齢又は性別の少なくとも一つと、体温、心拍数、血圧のうち少なくとも一つのデータとが相互に関連付けて格納されており、
前記再設定部（１０３）は前記入力部（１０１）に入力された設定及び、前記温度調節を受ける対象の年齢又は性別のうち前記所定のデータベースにおいて格納されているものと、前記所定のデータベースの前記データとに基づいて、前記温度を再設定する、請求項１乃至請求項３のいずれか一つに記載の空気調和機。
【請求項５】
（ａ）温度を設定するステップ（１０１）と、
（ｂ）前記設定に対応する期間が特定の期間に該当するか否かを判断するステップ（１０２）と、
（ｃ）前記設定に対応する期間が前記特定の期間に該当する場合に、所定のデータベース（３）に基づいて前記温度の再設定を行うステップ（１０３）と、
（ｄ）前記設定に対応する期間が前記特定の期間に該当する場合には前記ステップ（ｃ）によって再設定された前記温度に基づいて、前記設定に対応する期間が前記特定の期間に該当しない場合には前記ステップ  （ａ）で設定された前記温度に基づいて、それぞれ温度調節を行うステップ（１０４）と
を備え、
所定の第１操作（２０１）によって前記ステップ（ａ）の温度の設定が有効となる有効モードから無効モードへと移行し、所定の第２操作（２０２）によって前記無効モードから前記有効モードへと復帰し、
前記所定の第１操作によって前記特定の期間が開始（２０２）し、前記所定の第２操作によって前記特定の期間が終了（２０４）する空気調和方法。
【請求項６】
前記ステップ（ｃ）は、前記ステップ（ａ）で入力された設定に対して、より外気温度に近い温度へと温度を再設定する、請求項５記載の空気調和方法。
【請求項７】
前記ステップ（ｃ）は、前記ステップ（ａ）で入力された設定に対して、より外気温度に近い温度へと温度を間欠的に変動させる、請求項５又は請求項６記載の空気調和方法。
【請求項８】
前記所定のデータベース（３）には、年齢又は性別の少なくとも一つと、体温、心拍数、血圧のうち少なくとも一つのデータとが相互に関連付けて格納されており、
前記ステップ（ｃ）は前記ステップ（ａ）で入力された設定及び、前記温度調節を受ける対象の年齢又は性別のうち前記所定のデータベースにおいて格納されているものと、前記所定のデータベースの前記データとに基づいて、前記温度を再設定する、請求項５乃至請求項７のいずれか一つに記載の空気調和方法。
【発明の詳細な説明】
【技術分野】
【０００１】
この発明は空調技術に関し、特に温度設定を制御する技術に関する。
【背景技術】
【０００２】
室内の人間の快適感を考慮して、設定された室温を修正して空調を行う技術が、例えば特許文献１乃至４に記載されている。また、チャイルドロックモードについては特許文献５に開示されている。
【０００３】
【特許文献１】特開平５−９９４７６号公報
【特許文献２】特開平８−２４０３３４号公報
【特許文献３】特開平９−２６９１４５号公報
【特許文献４】特開２００１−７４２９２号公報
【特許文献５】特開平９−６０９５０号公報
【発明の開示】
【発明が解決しようとする課題】
【０００４】
しかし、空調において快適性を追求することは、却って人間の体温調節などの自律神経機能を低下させる危惧がある。とりわけ低年齢の子供にとっての遊び場所は、近年、外部よりも温度変化が少なく快適な室内に移行している。そして温度変化が少ない環境では、体温調節を変化させる刺激がないため、結果として代謝が低下し、自律神経機能が低下する。
【０００５】
本発明はかかる課題を解決すべくなされたものであり、チャイルドロックモード等、温度設定をさせない対象に対する好適な温度制御用データを採用することにより、特に温度設定を修正することなく、当該対象に対して好適な環境温度を与える技術の提供を目的としている。
【課題を解決するための手段】
【０００６】
この発明にかかる空気調和機の第１の態様は、温度の設定を入力する入力部（１０１）と、前記設定に対応する期間が特定の期間に該当するか否かを判断する判断部（１０２）と、前記設定に対応する期間が前記特定の期間に該当する場合に、所定のデータベース（３）に基づいて前記温度の再設定を行う再設定部（１０３）と、前記設定に対応する期間が前記特定の期間に該当する場合には前記再設定部によって再設定された前記温度に基づいて、前記設定に対応する期間が前記特定の期間に該当しない場合には前記入力部に入力した前記温度に基づいて、それぞれ温度調節を行う温度調節部（１０４）とを備える。そして、前記入力部は、所定の第１操作（２０１）によって前記温度の設定の入力が有効となる有効モードから無効モードへと移行し、所定の第２操作（２０２）によって前記無効モードから前記有効モードへと復帰し、前記所定の第１操作によって前記特定の期間が開始（２０２）し、前記所定の第２操作によって前記特定の期間が終了（２０４）する。
【０００７】
この発明にかかる空気調和機の第２の態様は、空気調和機の第１の態様であって、前記再設定部（１０３）は、前記入力部（１０１）に入力された設定に対して、より外気温度に近い温度へと温度を再設定する。
【０００８】
この発明にかかる空気調和機の第３の態様は、空気調和機の第１の態様又は第２の態様であって、前記再設定部（１０３）は、前記入力部（１０１）に入力された設定に対して、より外気温度に近い温度へと温度を間欠的に変動させる。
【０００９】
この発明にかかる空気調和機の第４の態様は、空気調和機の第１の態様乃至第３の態様のいずれかであって、前記所定のデータベース（３）には、年齢又は性別の少なくとも一つと、体温、心拍数、血圧のうち少なくとも一つのデータとが相互に関連付けて格納されており、前記再設定部（１０３）は前記入力部（１０１）に入力された設定及び、前記温度調節を受ける対象の年齢又は性別のうち前記所定のデータベースにおいて格納されているものと、前記所定のデータベースの前記データとに基づいて、前記温度を再設定する。
【００１０】
この発明にかかる空気調和方法の第１の態様は、下記ステップ（ａ）〜（ｄ）を備える：（ａ）温度を設定するステップ（１０１）、（ｂ）前記設定に対応する期間が特定の期間に該当するか否かを判断するステップ（１０２）、（ｃ）前記設定に対応する期間が前記特定の期間に該当する場合に、所定のデータベース（３）に基づいて前記温度の再設定を行うステップ（１０３）、（ｄ）前記設定に対応する期間が前記特定の期間に該当する場合には前記ステップ（ｃ）によって再設定された前記温度に基づいて、前記設定に対応する期間が前記特定の期間に該当しない場合には前記ステップ（ａ）で設定された前記温度に基づいて、それぞれ温度調節を行うステップ（１０４）。そして所定の第１操作（２０１）によって前記ステップ（ａ）の温度の設定が有効となる有効モードから無効モードへと移行し、所定の第２操作（２０２）によって前記無効モードから前記有効モードへと復帰する。また前記所定の第１操作によって前記特定の期間が開始（２０２）し、前記所定の第２操作によって前記特定の期間が終了（２０４）する。
【００１１】
この発明にかかる空気調和方法の第２の態様は、空気調和方法の第１の態様であって、前記ステップ（ｃ）は、前記ステップ（ａ）で入力された設定に対して、より外気温度に近い温度へと温度を再設定する。
【００１２】
この発明にかかる空気調和方法の第３の態様は、空気調和方法の第１の態様又は第２の態様であって、前記ステップ（ｃ）は、前記ステップ（ａ）で入力された設定に対して、より外気温度に近い温度へと温度を間欠的に変動させる。
【００１３】
この発明にかかる空気調和方法の第４の態様は、空気調和方法の第１の態様乃至第３の態様のいずれかであって、前記所定のデータベース（３）には、年齢又は性別の少なくとも一つと、体温、心拍数、血圧のうち少なくとも一つのデータとが相互に関連付けて格納されており、前記ステップ（ｃ）は前記ステップ（ａ）で入力された設定及び、前記温度調節を受ける対象の年齢又は性別のうち前記所定のデータベースにおいて格納されているものと、前記所定のデータベースの前記データとに基づいて、前記温度を再設定する。
【発明の効果】
【００１４】
この発明のうち空気調和機の第１の態様及び空気調和方法の第１の態様によれば、第１操作／第２操作によって、温度設定ができなくなる、いわゆるチャイルドモードが開始／終了する。よって特定の期間はチャイルドモードにおける温度設定が実行されることになる。所定のデータベースには例えば子供等、チャイルドモードを実行して温度設定をさせない対象に対する好適な温度制御用データを採用することにより、特に温度設定を修正することなく、当該対象に対して好適な環境温度が与えられる。
【００１５】
この発明のうち空気調和機の第２の態様及び空気調和方法の第２の態様によれば、冷えすぎ、暖めすぎを回避し、体温調節機能の低下を防ぐ。
【００１６】
この発明のうち空気調和機の第３の態様及び空気調和方法の第３の態様によれば、調節される温度を変動させることにより、温度調節を受ける対象に温度刺激を与え、以て体温調節機能を向上させる。
【００１７】
この発明のうち空気調和機の第４の態様及び空気調和方法の第４の態様によれば、特に温度設定を修正することなく、温度調節を受ける対象の年齢に応じて好適な環境温度が与えられる。
【発明を実施するための最良の形態】
【００１８】
図１は本発明にかかる空調技術を示すフローチャートである。以下の各ステップは図示されない空気調和機の空気調和方法として把握することができる一方、各ステップはそれぞれが実行する機能を有する構成要素として把握することもできる。
【００１９】
ステップ１０１は空調温度を設定するステップであり、これを実現するために設定温度を入力する装置としては、空気調和機のリモートコントローラを例に挙げることができる。
【００２０】
ステップ１０２ではステップ１０１における温度設定に対応する期間が、特定の期間、即ち後述する変調期間であるか否かが判断される。変調期間でなければステップ１０４へと進み、ステップ１０１で設定された温度に基づいて温度を調節する制御（温調制御）を行う。
【００２１】
一方、ステップ１０１における温度設定に対応する期間が変調期間であれば、ステップ１０３へと進み、ステップ１０１で設定された温度の再設定、即ち設定温度の変調を行う。当該再設定は自律神経データベース（ＡＮＤＢ：Automatic Nervous Data Base）３に基づいて行われる。そしてステップ１０４へと進み、ステップ１０３によって再設定された温度に基づいて、温調制御を行う。
【００２２】
自律神経データベース３は例えば、年齢又は性別の少なくとも一つと、体温、心拍数、血圧のうち少なくとも一つのデータとが相互に関連付けて格納されている。ステップ１０３はステップ１０１で入力された設定、及び温度調節を受ける対象の年齢又は性別のうち前記所定のデータベースにおいて格納されているものと、自律神経データベース３に格納された上記データとに基づいて、温度の再設定を行う。
【００２３】
ステップ１０２を実現するための判断手段や、ステップ１０３を実現するための再設定手段は、いずれも空気調和機において実行される公知の制御技術を採用することができる。例えばステップ１０２を実現するための技術は、後述するいわゆるチャイルドロックモードを実現するための技術を容易に転用できる。例えばステップ１０３を実現するための技術は、設定温度を修正する周知の技術を容易に転用できる。ステップ１０４を実現するための温度調節装置は、例えば冷媒の圧縮／膨張を利用した公知の技術を採用することができる。
【００２４】
図２は、上記変調期間の設定及び復帰を示すフローチャートである。ステップ２０１はチャイルドロック（CHLK:CHild LocK）モードがオンしたかどうかが判断され、オンするまで繰り返し判断される。ステップ２０１においてチャイルドロックモードがオンしたと判断されれば、ステップ２０２へと進んで変調期間を開始する。そしてステップ２０３へと進み、チャイルドロックモードがオフしたかどうかが判断され、オフするまで繰り返し判断される。ステップ２０３においてチャイルドロックモードがオンしたと判断されれば、ステップ２０４へと進んで変調期間を終了し、再度ステップ２０１へと進む。
【００２５】
チャイルドロックモードのオン、オフは、ステップ１０１の温度設定において用いられる入力部において行う態様でもよいし、当該入力部とは別に設けられた他の入力部から行う態様でもよい。いずれにしても、チャイルドロックモードをオンする操作によって温度の設定、あるいはその入力が有効となる有効モードから無効モードへと移行し、チャイルドロックモードをオフする操作によって無効モードから有効モードへと復帰する。
【００２６】
このようにチャイルドロックモードでは温度の設定の入力が無効となるが、そのオン／オフと整合して変調期間が開始／終了する。よって変調期間とチャイルドロックが効いている期間とは実質的に整合する。
【００２７】
これにより、チャイルドロックが効いている期間に対応してステップ１０１で設定された温度は、ステップ１０３によって再設定される。他方、チャイルドロックが効いていない期間に対応してステップ１０１で設定された温度は、ステップ１０３での再設定は行われない。
【００２８】
よって温度設定をさせない対象（例えば低年齢の子供）に対する好適な温度制御用データを採用することにより、特に温度設定を修正することなく、当該対象に対して好適な環境温度を与えることができる。
【００２９】
ステップ１０３による温度の再設定の具体例として、例えばステップ１０１で入力された設定に対して、より外気温度に近い温度へと温度を再設定する。これにより、冷えすぎ、暖めすぎを回避し、体温調節機能の低下を防ぐ。あるいは例えば更に、入力された設定に対してより外気温度に近い温度へと温度を間欠的に変動させる。
【００３０】
図３は、本実施の形態における再設定の態様を示すグラフであり、横軸には時刻、縦軸には温度を、それぞれ採っている。そして再設定の態様として、入力された設定に対してより外気温度に近い温度へと温度を間欠的に変動させる場合を例示している。
【００３１】
グラフ５０１は夏期の外気温を例示しており、グラフ５０２は再設定前の（ステップ１０１で設定された）温度に従って制御された場合の理想的な室温を示し、グラフ５０３は変調期間Ｔで再設定された場合の理想的な温度を示す。
【００３２】
チャイルドロックは１２時にオンし、チャイルドロックは１８時にオフする。グラフ５０２は室内を空気調和によって室温が一定に保たれている場合を示す。これに対してグラフ５０３はチャイルドロックモードにおいて変調期間が設定されることにより、室内の空気調和は、グラフ５０１で示される外気温度に近い温度へと室温を間欠的に変動させている。但し、変調期間の終了の後、室温は時間の経過と共に、ステップ１０１で設定された本来の設定温度へと、徐々に近づく。
【００３３】
このように調節される温度を変動させることにより、温度調節を受ける対象に温度刺激を与え、以て体温調節機能を向上させる。
【図面の簡単な説明】
【００３４】
【図１】本発明にかかる空調技術を示すフローチャートである。
【図２】変調期間の設定及び復帰を示すフローチャートである。
【図３】本実施の形態における再設定の態様を示すグラフである。
【符号の説明】
【００３５】
３  自律神経データベース
１０１  温度を設定するステップ
１０３  温度を再設定するステップ
【図１】
2006336975.tif 000003
【図２】
2006336975.tif 000004
【図３】
2006336975.tif 000005